(57)【要約】      （修正有）【課題】感染症、特に、新型インフルエンザの感染予防に有効な保護服を提供する。【解決手段】日常使用される服の上に着用する抗菌処理が施された保護服であって、全体コート状に形成され、表面には光触媒加工が施されている。【選択図】図１
0003155515.tif 000002
【実用新案登録請求の範囲】
【請求項１】
日常使用される服の上に着用する抗菌処理が施された保護服であって、全体コート状に形成され、表面には光触媒加工が施されていることを特徴とする保護服。
【請求項２】
上記保護服は、コート部と、上記コート部に取り付けられたフード部とを有し、上記フード部は、顔面を除いて頭部全体を被覆すると共に、上記コート部は、両手首下及び膝下まで被覆することを特徴とする請求項１記載の保護服。
【請求項３】
上記コート部は、左右一対の前身ごろがファスナーによって開閉されると共に、上記ファスナーを被覆するフラップ部が設けられていることを特徴とする請求項２記載の保護服。
【請求項４】
上記フード部は、顔開口部の周縁に取り付けられた紐を締めることにより顔開口部を顔に密着できるように構成されていることを特徴とする請求項２記載の保護服。
【請求項５】
上記フード部の両袖の端部は紐により端部を両腕に密着できるように構成されていることを特徴とする請求項４記載の保護服。
【請求項６】
上記光触媒加工は酸化チタンの吹き付け処理加工であることを特徴とする請求項１記載の保護服。
【考案の詳細な説明】
【技術分野】
【０００１】
本考案は保護服に係り、特に、新型インフルエンザへの罹患を有効に防止しうる保護服に関する。
【背景技術】
【０００２】
近年、鳥インフルエンザ等、感染性の強い疾患の流行が話題となっている。また、ＷＨＯは新型インフルエンザに関しては、いわゆるパンデミックを宣言している。このような状況の中で、このような強感染性の伝染病に関し、感染を防止するためには最終的には個々人の予防意識が重要となる。
【０００３】
特に、昨年より広がっている新型インフルエンザに関しては、非常に感染性が強く、予防が困難である。例えば、外出時にマスクをし、帰宅時等にはうがいを励行する必要があるが、電車、バス等の公共交通機関利用時に、他人のくしゃみやセキにより唾液の飛沫が毛髪、皮膚、服等に付着し、そのように付着した病原菌から呼吸器を介して感染する場合がある。
【０００４】
また、感染者のセキ、クシャミにより空気中に浮遊する病原菌が毛髪、皮膚、服に付着し、その後、呼吸器を介して感染する可能性もある。
このような、毛髪、服に付着した病原菌からの感染に関しては、従来のマスクの着用のみでは防ぐことはできないことから、何らかの対応策が要請されていた。
【考案の開示】
【考案が解決しようとする課題】
【０００５】
本考案の課題は、感染症、特に、新型インフルエンザの感染予防に有効な保護服を提供することにある。
【課題を解決するための手段】
【０００６】
上記課題を解決するために、請求項１の考案にあっては、日常使用される服の上に着用する抗菌処理が施された保護服であって、全体コート状に形成され、表面には光触媒加工が施されていることを特徴とする。
従って、請求項１記載の考案にあっては、日常着用する服をほとんど覆うことができる。
【０００７】
請求項２記載の考案にあっては、上記保護服は、コート部と、上記コート部に取り付けられたフード部とを有し、上記フード部は、顔面を除いて頭部全体を被覆すると共に、上記コート部は、両手首下及び膝下まで被覆することを特徴とする。
【０００８】
従って、請求項２記載の考案にあっては、着用している服のみならず、頭部を含め略全身を覆うことができる。
請求項３記載の考案にあっては、上記コート部は、左右一対の前身ごろがファスナーによって開閉されると共に、上記ファスナーを被覆するフラップ部が設けられていることを特徴とする。
【０００９】
請求項４記載の考案にあっては、上記フード部は、顔開口部の周縁に取り付
けられた紐を締めることにより顔開口部を顔に密着できるように構成されてい
ることを特徴とする。
【００１０】
請求項５記載の考案にあっては、上記フード部の両袖の端部は紐により端部を両腕に密着できるように構成されていることを特徴とする。
従って、請求項５記載の考案にあっては、フード部の両袖の端部を両腕に密着することができることから、フード部と顔の間隙からの病原菌の侵入を防止することができる。  
【００１１】
請求項６記載の考案にあっては、上記光触媒加工は酸化チタンの吹き付け処理加工であることを特徴とする。
【００１２】
酸化チタンは食品添加物に指定されているように人体に対して無害である。また、光触媒は紫外線の照射により、付着した有機物を瞬時に水と炭素に分解する作用を有するものであることから、例えば、通勤電車内において仮に病原体が本考案に係る保護服に付着した場合であっても、駅構内における照明、又は目的地へ至る路上での日照等の光の照射により光触媒反応が起こることから職場等の目的地へ至る間に病原菌は消失する。
【考案の効果】
【００１３】
請求項１及び２記載の考案にあっては、保護服には光触媒加工が施されていることから、光触媒には有機物を分解する作用があることから、光触媒の層に病原菌が付着した場合には、その病原菌が水と炭素に瞬時に分解されて消滅しまい、病原菌が使用者の身体表面及び体内に付着する事態を防止しうる。
【００１４】
また、頭部、両腕、上半身及び膝下までを被覆することから、使用者の顔面を除いて略全身を衣服の上から覆うため、病原菌が衣服及び衣服から表出した体表面に付着する事態を有効に防止しうる。
【００１５】
請求項３記載の考案にあっては、上記コート部は、左右一対の前身ごろがファスナーによって開閉されると共に、上記ファスナーを被覆するフラップ部が設けられていることから、ファスナーによって左右一対の前身ごろが縫合され、かつ、左右一対の前身ごろの接合部位であるファスナー上を上記フラップ部が被覆することから、ファスナー部からの病原菌の侵入を略完全に防止することができる。
【００１６】
請求項４記載の考案にあっては、フード部の顔開口部を顔に密着することができることから、フード部と顔の間隙からの病原菌の侵入を防止することができる。
請求項５記載の考案にあっては、フード部の両袖の端部を両腕に密着することができることから、フード部と顔の間隙からの病原菌の侵入を防止することができる。
【図面の簡単な説明】
【００１７】
【図１】本考案に係る保護服の一実施の形態を示す全体正面図である。
【図２】本考案に係る保護服の一実施の形態を示し、コート部上端部のファスナー、フラップ部及び、フード部の下端部を拡大して示す図である。
【図３】本考案に係る保護服の一実施の形態を示し、フード部のみを拡大して示す図である。
【図４】本考案に係る保護服の一実施の形態を示し、袖口の端部における紐の貫通構造を示す図である。
【考案を実施するための最良の形態】
【００１８】
図１に示すように、本実施の形態に係る保護服１０は、全体コート状に形成され、表面には光触媒加工が施され、表面に光触媒層２０が形成されている。  
上記保護服１０は、コート部１１と、上記コート部１１に取り付けられたフード部１２とを有し、上記フード部１２は、顔面を除いて頭部全体を被覆すると共に、上記コート部１１は、両手首下及び膝下まで被覆するように構成されている。
【００１９】
上記コート部１１は、左右一対の前身ごろ１３，１４がファスナー１５によって開閉されると共に、上記ファスナー１５を被覆するフラップ部１６が設けられている。
【００２０】
図１及び図２に示すように、上記フラップ部１６には一方のスナップボタン部２２ａが設けられていると共に、一方の前身ごろ１３には他方のスナップボタン部２２ｂが設けられており、フラップ部１６によりファスナー１５を被覆した場合には、上記スナップボタン部２２によりフラップ部１６を前身ごろ１３に固定できる。
【００２１】
図１及び図３に示すように、上記コート部１１の上端部にはフード部１２が接合されており、フード部１２は使用者の頭部の略全体を被覆することができる形状に形成され、さらに、顔開口部２１の周縁部には細いトンネル部２３が設けられ、内部に紐１７が長さ方向に沿って移動可能に貫装され、両端部は顔開口部２１の前方へ表出している。
従って、取り付けられた紐１７を締めることにより顔開口部２１を使用者の顔に密着できるように構成されている。また、上記フード部１２の両袖１８，１８の下端部も同様の構造により紐１９がトンネル部２４内に長さ方向に沿って移動可能に配置されており、紐１９を締めることにより両袖の下端部を両腕に密着できるように構成されている。
【００２２】
なお、本実施の形態に係る保護服１０の素材に関しては、表面に光触媒加工
を施せるものであれば種類を問わない。
【００２３】
また、本実施の形態に係る保護服１０に使用される光触媒層２０は、ペルオキソチタン酸水溶液ＴＰＸ−ＨＬ（Ｓ―ＴＹＰＥ）を吹きつけ加工して形成されたものであり、抗菌性に関しては、以下のような試験データがある。
【００２４】
ペルオキソチタン酸水溶液ＴＰＸ−ＨＬ（Ｓ―ＴＹＰＥ）をブラックシャーレに塗布し、鳥ウイルスに対する抗ウイルス効果を調査した実験を行っている。
この実験では、ペルオキソチタン酸水溶液ＴＰＸ−ＨＬ（Ｓ―ＴＹＰＥ）が塗布されたブラックシャーレにウイルス液を滴下し、蓋を除去した状態で２０Ｗの蛍光灯を１０ｃｍの距離から照射した。その後経時的に、シャーレからウイルス液を採り、ウイルス力価を５０％培養細胞感染量（ＴＣＩＤ50/ml）で測定した。
【００２５】
なお、使用ウイルスは、高病原性鳥インフルエンザウイルス（Ｈ７Ｎ１弱毒タイプ）であり、使用細胞はＭＤＣＫ細胞である。
結果は、実験開始時に１０の６．５乗（３，０００，０００個）あったウイルスが、４８時間後に５０個以下に減少した。結果的に、力価が５０，０００倍低下したものである。
【００２６】
以下、本実施の実施の形態に係る保護服１０の作用について説明する。
使用者は、通勤時等、多くの人が集まる場所へ行く場合には、本実施の形態に係る保護服１０を、普段着用している服の上から着用する。
【００２７】
本実施の形態に係る保護服１０を着用する場合には、図１に示すように、着用している服の上から上記コート部１１を着用し、かつフード部１２で頭部を被覆する。
コート部１１に関してはファスナー１５で前身ごろを縫合し、かつフラップ部１６でファスナー１５を被覆する。
【００２８】
その後、両袖１８，１８の端部の紐１９を締めることにより、両袖１８，１８の端部を手首に密着させる。また、フード部１２を被って頭部を覆った場合には、同様に紐１７を締めることによりフード部１２の顔開口部２１を顔面の周縁部に密着させる。
【００２９】
本実施の形態に係る保護服１０にあっては、上記のように、フード部１２は使用者の頭部の略全体を被覆することができる形状に形成されていることから、顔面を除き、毛髪を含め頭部の略全体を被覆することができると共に、顔開口部２１の周縁に取り付けられた紐１７を締めることにより顔開口部２１を使用者の顔に密着できるように構成され、さらに、上記フード部１２の両袖１８，１８の端部は紐１９により端部を両腕に密着できるように構成されていることから、毛髪への病原菌の付着及び、袖口からの病原菌の皮膚への付着を略完全にシャットアウトすることができる。
【００３０】
そして、多くの人が集まる場所、例えば、通勤電車内において、病原菌に感染した人間のセキ、クシャミ等の飛沫が保護服１０の表面に形成された光触媒層２０に付着した場合であっても、例えば、通勤電車を降り、駅構内を歩行する際に駅の照明装置から照射される蛍光灯等の光を受けた場合や、駅を出て戸外を歩いた場合や、オフィス内の照明の光の照射を受けた場合には、保護服１０の表面に付着した病原菌は、光触媒が作用することにより水と炭素に分解される。
【００３１】
その結果、本実施の形態に係る保護服１０の使用者は、例えば、新型インフルエンザ等の病原菌の感染者のセキ、クシャミ等による唾液の飛沫がかかった場合であっても、本実施の形態に係る保護服１０を着用することにより、着用した洋服や髪の毛に付着した病原菌から感染する、という事態を有効に防止することができる。
【００３２】
従って、本実施の形態に係る保護服１０及び顔面マスクを着用することによって、呼吸器系からの直接感染及び間接的な感染を略完全に防止することが可能となる。
なお、保護服１０の素材に関しては、光触媒を塗布することにより光触媒層を形成することが可能な素材であればよい。また、上記実施の形態にあっては、光触媒がペルオキソチタン酸である場合を例に説明したが、上記実施の形態に限定されず、光触媒であればよい。
また、紐１９は布製若しくはゴム製等、いずれの素材であってもよい。
【産業上の利用可能性】
【００３３】
本考案は、広く病原菌の保護服に適用することができる。
【符号の説明】
【００３４】
１０  保護服
１１  コート部
１２  フード部
１３  前身ごろ
１４  前身ごろ
１５  ファスナー
１６  フラップ部
１７  紐
１８  両袖
１９  紐
２０  光触媒層
２１  顔開口部
２２  スナップボタン部
２３  トンネル部
２４  トンネル部
【図１】
0003155515.tif 000003
【図２】
0003155515.tif 000004
【図３】
0003155515.tif 000005
【図４】
0003155515.tif 000006